(57)【要約】【課題】  端子の変形を低減したノイズフィルタの提供。【解決手段】  金属製のベース部２と、ベース部２上に載置される樹脂製のケース部３と、ケース部３内に配置されるフィルタ部と、ベース部２の一部が折り曲げられて立設成型される固定端子部２１と、を備えたノイズフィルタ１を提供する。このノイズフィルタ１において、固定端子部２１は、ベース部２と略平行に配置されると共にネジ４４と螺合可能なネジ孔が形成された被支持部２１Ａを有し、ネジ４４は被支持部からベース部２に向かう方向に螺進して被支持部２１Ａと螺合している。ケース部３は、被支持部２１Ａとベース部２との間に位置して被支持部２１Ａを当接支持する支持部３１Ａを有している。【選択図】図１
2008140612.tif 000002
【特許請求の範囲】
【請求項１】
金属製のベース部と、
該ベース部上に載置される樹脂製のケース部と、
該ケース部内に配置されるフィルタ部と、
該ベース部から立設されると共に該ベース部と電気的に接続される固定端子部と、を備え、
該固定端子部は、該ベース部と略平行に配置されると共にネジと螺合可能なネジ孔が形成された被支持部を有し、該ネジは該被支持部から該ベース部に向かう方向に螺進して該被支持部と螺合し、
該ケース部は、該被支持部と該ベース部との間に位置して該被支持部を当接支持する支持部を有していることを特徴とするノイズフィルタ。
【請求項２】
該被支持部に関して該ベース部と反対側に配置され該被支持部に対して近接離間可能な移動端子が該ケース部に支持され、
該ネジは、該移動端子に脱落不能に設けられていることを特徴とする請求項１に記載のノイズフィルタ。
【請求項３】
該ケース部は、該移動端子から該被支持部へと向かう方向と平行に延長されて該移動端子の少なくとも一部を内蔵可能な案内溝を有し、
該被支持部は該案内溝に係合する被係合部を有することを特徴とする請求項２に記載のノイズフィルタ。
【発明の詳細な説明】
【技術分野】
【０００１】
本発明はノイズフィルタに関する。
【背景技術】
【０００２】
従来からノイズフィルタとして、電源用ＥＭＣフィルタが公知となっている。このノイズフィルタでは、金属板のベースとベース上に載置されるケースとケース内に内蔵されるコイル等とを有し、ケース表面にコイルに接続されて外部の導線等に接続される端子が設けられている。またケース表面には、ベースの一部が折り曲げられて構成されるアース端子が設けられている（例えば、特許文献１参照）。
【特許文献１】特開２００５−２７６５６９号公報
【発明の開示】
【発明が解決しようとする課題】
【０００３】
従来のノイズフィルタでは、端子部分にネジが設けられ、このネジと端子との間に外部の導線を配置し、ネジを螺進して端子と外部の導線とを結線している。しかし、ベースの一部が折り曲げられて形成されているアース端子においては、ネジを螺進させる際に、作業者がネジを付勢することによりアース端子が座屈して変形する場合があった。またネジで外部の導線を締線する際に、ネジの回転トルクによりアース端子がネジの回動方向に回動して変形する場合があった。
【０００４】
そこで、本発明は、結線時の端子の変形を低減したノイズフィルタを提供することを目的とする。
【課題を解決するための手段】
【０００５】
上記課題を解決するために本発明は、金属製のベース部と、ベース部上に載置される樹脂製のケース部と、ケース部内に配置されるフィルタ部と、ベース部から立設されると共にベース部と電気的に接続される固定端子部と、を備えたノイズフィルタを提供する。このノイズフィルタにおいて、固定端子部は、ベース部と略平行に配置されると共にネジと螺合可能なネジ孔が形成された被支持部を有し、ネジは被支持部からベース部に向かう方向に螺進して被支持部と螺合している。ケース部は、被支持部とベース部との間に位置して被支持部を当接支持する支持部を有している。
【０００６】
このような構成によると、ネジの螺進時に、被支持部が受ける反力を支持部により負担することができる。よってネジの螺進時に係る応力の固定端子部で負担する分が減り、固定端子部が変形することを抑制することができる。
【０００７】
上記構成のノイズフィルタにおいて、被支持部に関してベース部と反対側に配置され被支持部に対して近接離間可能な移動端子がケース部に支持され、ネジは、移動端子に脱落不能に設けられていることが好ましい。
【０００８】
このような構成によると、ネジをノイズフィルタから外す必要が無く、ネジの紛失を抑制することができる。またネジは脱落不能であるため、その位置が規定される。よってネジを螺進させる場合に、その位置を容易に把握することができ、作業性を向上させることができる。
【０００９】
またケース部は、移動端子から被支持部へと向かう方向と平行に延長されて移動端子の少なくとも一部を内蔵可能な案内溝を有し、被支持部は案内溝に係合する被係合部を有することが好ましい。
【００１０】
このような構成によると、被係合部と案内溝との係合により、被支持部が移動端子の移動方向と直交する方向に固定されることができる。よってネジを螺進させる際に、固定端子部に発生するネジ孔を中心軸としたねじり方向の回動を被係合部で阻止することができる。これにより、固定端子全体としてのねじり方向の応力負担を減少し、固定端子の変形を抑制することができる。
【発明の効果】
【００１１】
本発明のノイズフィルタによれば、端子の変形を低減することができる。
【発明を実施するための最良の形態】
【００１２】
以下、本発明の実施の形態によるノイズフィルタを図１から図６に基づき説明する。図１に示されるノイズフィルタ１は、三相交流電源用のＥＭＣフィルタであり、ベース部２と、ケース部３とから主に構成されている。
【００１３】
ベース部２は、図１及び図２に示されるように導電性の金属板が、略長方形に成型されて構成されている。ベース部２において、一方の長辺部分の一方の短辺側位置には、固定端子２１が設けられている。
【００１４】
固定端子２１は、図１に示されるようにベース部２の一部が折り曲げられて立設成型されて構成されており、図３に示されるように、その先端部分には、被支持部２１Ａが規定されている。被支持部２１Ａは、図３及び図４に示されるように、ベース部２と略平行になるように折り曲げられて配置されており、その中央部分には、ネジ孔２１ａが形成されている。また被支持部２１Ａにおいては、図４に示されるように、後述の枠体３１と対向する辺部分から突出して被係合部２１Ｂ（図３）が設けられている。
【００１５】
また図２に示されるように、ベース部２の四隅には、ノイズフィルタ１固定用の図示せぬネジを貫通させる孔２ａがそれぞれ形成されている。
【００１６】
ケース部３は、図１に示されるように、枠体３１と上蓋３２と一対の端子カバー３３、３３とから主に構成されている。枠体３１は、外周形状がベース部２の略長方形状と略同一に形成されており、ベース部２状に配置された状態で、図示せぬフィルタ部を内蔵している。このフィルタ部は、導線が巻回されたトロイダルコア、コンデンサ等から構成される公知の部品である。
【００１７】
図２に示されるように、枠体３１において、長手方向の両端には、三相電源を継線可能な端子部４、４がそれぞれ一体に設けられている。端子部４、４は、後述のアース端子４２が一方に設けられている以外は、略同一形状であるので、以下アース端子４２が設けられている一方の端子部４について説明する。
【００１８】
また枠体３１において、固定端子２１が設けられている部分の近傍位置には、図５に示されるように、ベース部２から被支持部２１Ａ（図４）に向かう方向と略平行に延び、一対の鍔部３１Ｂ、３１Ｂにより区画される第一溝部３１ａが形成されている。第一溝部３１ａは、枠体３１の反ベース部２側の端面に開口しており、ベース部２側は閉止されている。この第一溝部３１ａ近傍位置には、ベース部２と被支持部２１Ａとの間に位置し、被支持部２１Ａを当接支持する支持部３１Ａが設けられている。
【００１９】
支持部３１Ａには、第一溝部３１ａと連通すると共に、第一溝部３１ａと平行に穿設されている第二溝部３１ｂが形成されている。第一溝部３１ａは、支持部３１Ａの反ベース部２側の端面に開口しており、ベース部２側は閉止されている。支持部３１Ａの反ベース部２側の端面には、図４に示されるように、被支持部２１Ａが当接して配置されている。よって第二溝部３１ｂの開口部分は被支持部２１Ａにより塞がれている。また被支持部２１Ａにおいて被係合部２１Ｂは、一対の鍔部３１Ｂ、３１Ｂの間に配置されている。
【００２０】
端子部４は、図１及び図２に示されるように、電源端子部４１とアース端子部４２とから構成されている。電源端子部４１は、外部の導線等と継線可能な３個の端子から構成されており、それぞれ図示せぬフィルタ部に接続されて構成されている。
【００２１】
アース端子部４２は、図４に示されるように、前述の固定端子２１と、移動端子４３と、ネジ４４とから主に構成されている。移動端子４３は、図６に示されるように、継線部４３Ａと、摺動部４３Ｂと規制部４３Ｃとを備え、一枚の金属板が折り曲げられて構成されている。継線部４３Ａは、略正方形に形成され、中央にネジ４４を保持可能な孔４３ａが形成されている。孔４３ａ内にネジ４４を挿入した後に継線部４３Ａの孔４３ａ周辺を変形させ、ネジ４４を継線部４３Ａに対して回転は可能であるが脱落は不可能にしている。よってネジ４４をノイズフィルタ１から外す必要が無く、作業時にネジ４４の紛失を防止することができる。またネジ４４は脱落不能であるため、その位置が規定される。よってネジ４４により図示せぬ導線を固定端子２１に固定するべく螺進させてネジ孔２１ａと螺合させる場合に、作業者がネジ４４に当接する工具の位置を容易に把握することができ、作業性を向上させることができる。
【００２２】
摺動部４３Ｂは、継線部４３Ａの一辺から延び、継線部４３Ａの平面と交差する方向に折り曲げられて延出されている。摺動部４３Ｂには、摺動部４３Ｂの延出方向と交差する方向に突出するリブ４３Ｄが設けられている。規制部４３Ｃは、摺動部４３Ｂの反継線部４３Ａ側の端部に設けられており、摺動部４３Ｂに対して継線部４３Ａと同じ方向で略平行になるように折り曲げられて構成されている。
【００２３】
移動端子４３は、摺動部４３Ｂが第一溝部３１ａ内、規制部４３Ｃが第二溝部３１ｂ内となるように、枠体３１に取り付けられている。この状態で図４に示されるように、第一溝部３１ａ内及び第二溝部３１ｂ内には規制部４３Ｃを反ベース部２側に付勢するバネ４２Ａが設けられている。よって移動端子４３は、ネジ４４が被支持部２１Ａのネジ孔２１ａに螺合していない状態で、反ベース部２側に移動する。第二溝部３１ｂの端面は被支持部２１Ａで塞がれているため、規制部４３Ｃは被支持部２１Ａに当接し、移動端子４３の反ベース部２側への移動が抑制される。
【００２４】
上蓋３２は、図１に示されるように、枠体３１の反ベース部２側に設けられており、ベース部２上に設けられた枠体３１内に図示せぬフィルタ部が設置された後に取り付けられる。また上蓋３２は着脱可能であり、図示せぬフィルタ部に破損等が発生した場合は上蓋３２を外すことにより、容易に図示せぬフィルタ部にアクセス可能になっている。
【００２５】
端子カバー３３、３３は、上蓋３２の長手方向両端に設けられており、電源端子部４１を覆い隠している。また端子カバー３３は開閉可能であり、電源端子部４１に図示せぬ導線を継線するときは端子カバー３３を開け、継線が終了して通常使用する場合は端子カバー３３を閉め外因から電源端子部４１を保護している。
【００２６】
上記構成のアース端子部４２において、図示せぬ導線を継線する場合には、図示せぬドライバをネジ４４に当接しネジ４４をベース部２側に付勢して移動端子４３を下方に押し下げ、ネジ４４を被支持部２１Ａのネジ孔２１ａに螺合させる。この場合に固定端子２１でネジ４４が押し下げられる付勢力に対する応力を負担することになる。しかしネジ４４で直接付勢される被支持部２１Ａは、支持部３１Ａにより支えられているため、そのネジ４４の付勢力に対する反力を支持部３１Ａにより負担することができる。よってネジ４４の螺進時に係る応力の固定端子部２１で負担する分が減り、固定端子部２１が変形することを抑制することができる。
【００２７】
またネジ４４を螺進させることにより、固定端子部２１には、ネジ孔２１ａを中心としてねじり方向の応力が発生する。しかし被係合部２１Ｂが第一溝部３１ａにおいて一対の鍔部３１Ｂ、３１Ｂの間に係合しているため、被係合部２１Ｂと鍔部３１Ｂとの圧接によりねじりに対する反力を生じさせる。これにより、固定端子２１全体としてのねじり方向の応力負担を減少し、固定端子２１の変形を抑制することができる。
【００２８】
本実施の形態においては、支持部３１Ａと被支持部２１Ａとが常に当接しているとして説明した。しかし支持部３１Ａと被支持部２１Ａと位置関係としては、支持部３１Ａの端面が被支持部２１Ａに必ずしも当接している必要はなく、僅かに支持部３１Ａの端面と被支持部２１Ａとが離間している状態であってもよい。要は被支持部２１Ａがネジ４４の付勢力により移動して固定端子２１が変形する前に、支持部３１Ａが被支持部２１Ａに当接して応力を負担できればよい。
【図面の簡単な説明】
【００２９】
【図１】本発明の実施の形態に係るノイズフィルタの斜視図。
【図２】本発明の実施の形態に係るノイズフィルタの平面図。
【図３】本発明の実施の形態に係るノイズフィルタの固定端子の斜視図。
【図４】図２のIV−IV線に沿った部分断面図。
【図５】本発明の実施の形態に係るノイズフィルタの枠体の部分斜視図。
【図６】本発明の実施の形態に係るノイズフィルタの移動端子の斜視図。
【符号の説明】
【００３０】
１・・ノイズフィルタ  ２・・ベース部  ２ａ・・孔  ３・・ケース部  ４・・端子部
２１・・固定端子  ２１Ａ・・被支持部  ２１Ｂ・・被係合部  ２１ａ・・ネジ孔
３１・・枠体  ３１Ａ・・支持部  ３１Ｂ・・鍔部
３１ａ・・第一溝部  ３１ｂ・・第二溝部  ３２・・上蓋  ３３・・端子カバー
４１・・電源端子部  ４２・・アース端子部  ４２Ａ・・バネ  ４３・・移動端子
４３Ａ・・継線部  ４３Ｂ・・摺動部  ４３Ｃ・・規制部  ４３Ｄ・・リブ
４３ａ・・孔  ４４・・ネジ
【図１】
2008140612.tif 000003
【図２】
2008140612.tif 000004
【図３】
2008140612.tif 000005
【図４】
2008140612.tif 000006
【図５】
2008140612.tif 000007
【図６】
2008140612.tif 000008